(57)【特許請求の範囲】
【請求項１】
土畦の水田への取水装置で次のＡ、Ｂ、Ｃ、Ｄの構成を有することを特徴とする水田取水装置。
Ａ、既設用水路側上流部にフランジを取り付けた円形または矩形の筒状の導管とした
Ｂ、その外径に合う口径を持った可撓性管を導管の下流部にバンドで固定、設置した
Ｃ、可撓性管の下流部水田側の出口先端下部に浮子を取り付け、可撓性管の先端の出口が水田の水位で上下するように一体化して固定した
Ｄ、浮子両端に取り付けた紐を引き上げて止水できるようにした
【請求項２】
コンクリートの既設用水路壁において、コンクリート部分にボルトを埋設し、既設用水路側フランジに開孔したナットとの間にゴムパッキンを介して水路壁に固定設置することを特徴とする請求項１記載の水田取水装置。
【発明の詳細な説明】
【技術分野】
【０００１】
本発明は既設用水路の水位が上下する場合、その水門口に設置水流を目的の水田に導くにあたり、簡単な構造で既設用水路の水位が高いときには水田に水が流入し、低いときには止水して水田水位を自動的に確保、かつ、その周辺からの水漏れしない、土盛りおよびコンクリートのいずれの畦においても簡単に設置・脱着可能で、装置が流失しない長寿命の水田用取水堰に関するものである。
【背景技術】
【０００２】
水田に水を供給するため、国内各地毎に共同管理された既設用水路が設置されているが、これら自らの水田に水を供給するためには、従来一般的には図2に示すように、先ず既設用水路内に堰板Ａより低い高さの堰板Ｂを立てることにより、堰板Ａで水路の一部を一時的に止めて水路内に貯水し、それを水田に流すという方法が用いられている。これらの堰板には殆どの場合木板が用いられている。
また、水田の水位を作物の生育や天候等の状況に応じて変更したい場合が往々にして生じる。このような場合、それらを調整するには高さの異なる堰板を準備して取り替えるか、または堰板を予め２段や３段構造にしておき、水位を確保するなどの不便さがあった。さらに木製の堰板の宿命として常に水に接しているので朽ち易く。通常使用数年で更新しなければならない。また、このような堰板では土畦での設置が困難であり、周辺からの水漏れを十分図ることができず、堰板の周辺に土やビニールシートを詰めるなど、土嚢を積んで漏れ防止を図るのが通例である。
【先行技術文献】
【特許文献】
【０００３】
【特許文献１】特開２００１−１９３０４１号公報
【発明の概要】
【発明が解決しようとする課題】
【０００４】
解決しようとする問題点は、既設用水路の水位は、各地域の水田への水の分配のため日単位で変化することが多いが、水田への給水と水位の確保するために、従来用いられている堰板による方法において、既設用水路の水位の上下による水田への給水は逐次人の手によらなければならないこと、堰板周辺からの水の流入および流出において水漏れ防止が難しいことについて、特に我が国の水田では土畦の場合が多く、土畦への設置・脱着が極めて簡単で、また、コンクリート畦においても簡単に設置および脱着でき、予想以上の増水での装置の流失、水漏れおよび完全な止水がなされ、装置堰板の寿命が使用数年と比較的短いことである。
【課題を解決するための手段】
【０００５】
本発明は既設用水路から、導入管にバンドで固定した可撓性管の後部水田側の最後部先端下部に、水位調節用の浮子を取り付けることによって、用水路の水位上昇時には浮子を水が押し下げて水田への水の供給を行い、反対に既設用水路の水位下降時には浮子が水田水位まで上昇して水田からの水の流出を止めることで、既設用水路の水位下降時にも影響されることなく、自動的に水田水位を確保できるようにしたこと、導管にフランジを設けることによる土畦およびコンクリート畦においてもこれにボルトで固定することで本装置の埋設・設置が容易であり、しかもどちらの設置方法においても増水時に装置が流失しないこと、フランジの効果で水田からの漏水の恐れが全く無いこと、水田への水の供給を止めたいとき、浮子の両端に取り付けた紐を上げて可撓性管の位置を上げることで、可撓性管からの水がせき止められ止水を簡単に行うことができること、さらに季節的に水の供給が不要なときには簡単に取り外しできることも最も重要な特徴である。
【発明の効果】
【０００６】
本発明の水田用取水堰は次のような効果を有する。
（１）導管直径の範囲内で既設用水路水位の高さに合わせて自動的に水田に給水が可能である。（２）必要とする設置スペースが狭く狭隘な水路内への設置が可能である。（３）我が国内の水田では土畦が一般的であるが、この場合、コンクリート打設の必要なく容易に土畦への設置が可能である、また、コンクリートの畦の場合においても同様に容易に設置が可能である。（４）既設用水路の過大水流時においても本装置が流失しない。（５）導管と可撓性管をバンドで堅固な接続により、ガスケットを用いる事無く水漏れを防ぐことができる。（６）水田からの漏水の恐れが全く無い。（７）水田への水の供給を止めたいとき、浮子の両端に取り付けた紐を上げて可撓性管をつり上げるだけで止水を簡単に行うことができる。（８）構成する材料として軟硬合成樹脂またはステンレスバンド製とすることができるため、装置寿命を極めて長いものとすることができる。
【図面の簡単な説明】
【０００７】
【図１】図１は本発明の水田用堰の土畦への設置実施例で、水田に給水している場面を示す断面図である。
【図２】図２は従来行われてきた水田用堰を示す斜視図である。
【図３】図３は本発明の水田用堰のコンクリート畦への設置実施例で、水田の水を止水している場面を示す断面図である。
【図４】図４は本装置断面図である。
【図５】図５は図1の堰中央に於ける斜視図で、水田に給水している場面を示す。
【発明を実施するための形態】
【０００８】
以下、本発明の実施の形態を添付図に基づいて説明する。
【実施例１】
【０００９】
先ず、既設用水路６から水田へ通ずる導管１を設け、その口径は調整したい水田の水位の上下差を超えるものとし、その先端側（管は用水路から水田に向かうが、本書では既設用水路側を「先端側」、水田側を「後端側」と称する）にバンド３で取り付けた可撓性管２を設け、その最後端下部に浮子４を設ける。既設用水路の水位の上下に合わせて水田への水の供給および停止が行われるが、既設用水路の水位が上昇したときのみ浮子４が水流で沈み水田に水が供給され、既設用水路の水位が下降したとき浮子４が浮上し水田の水の流出を止めるよう装置を設置した。図１に既設用水路６が土畦の場合における本装置での水田へ取水状態での設置を示す。本装置の設置は水田へ通じる導管１を土畦上部位置より下部になるよう水路に対して直角に土中に埋設した。なお導管１に取り付けたフランジ５の上部は、土畦上部位置に比べて同位置かわずかに低い位置となるように埋設した。また、フランジ５の幅は約７cmとした。導管１へのフランジ５の取りけ位置は、導管１の先端側が既設用水路６の水の流れを妨げないよう用水路の水田側壁よりはみ出さないとともに土畦中央部に位置する部分に埋設するものとする。さらに、既設用水路６の水田への水の流入を止める場合、可撓性管２に取り付けた浮子４を引き上げ用紐８で引き上げるが、この紐を土畦に打ち込んだ杭に止める事で水の流入を止めることができた。また、コンクリート畦の場合、この紐をフランジ部分の開孔部分に結束し水の流入を止めることができた。
【実施例２】
【００１０】
図３に既設用水路６がコンクリート畦における本装置での水田からの止水状態での設置を示す。本装置の設置位置は土畦の場合とほぼ同様であるが、コンクリート畦１０にボルトを埋設し、導管１に取り付けたフランジ５に開孔してボルトを通しナットで恒久固定した。この場合コンクリートとフランジ５の間にゴムパッキン１１を挟むことで水漏れを防止した。この場合、導管１へのフランジ５の取り付け位置は、土畦への設置と同じである。さらに、既設用水路６の水田への止水も同じ方法であるが、この紐はフランジ５の開孔に結束し水の流入を止めることができた。
【符号の説明】
【００１１】
１  導管
２  可撓性管
３  バンド
４  浮子
５  フランジ
６  既設用水路
７  土水路
８  浮子引き上げ紐
９  浮子引き上げ紐固定杭
１０ コンクリート用水路
１１ ゴムパッキン
１２ 水田
Ａ、Ｂ  堰板
a  水位線
【図１】
0005725419.tif 000002
【図２】
0005725419.tif 000003
【図３】
0005725419.tif 000004
【図４】
0005725419.tif 000005
【図５】
0005725419.tif 000006